(57)【要約】【課題】最適な明度で映像を明瞭に表示することができる撮像装置を提供すること。【解決手段】被写体に照射される光を発光する発光手段１１６と、被写体を撮像する撮像手段１１１と、撮像手段１１１によって得られる映像における予め決められた部分の明度を測定する明度測定手段１１２と、映像の明度の基準値を記憶する基準値記憶手段１１４と、明度測定手段１１２によって測定された映像の明度と基準値との比較を行う比較手段１１３と、比較手段１１３による比較の結果に応じて発光手段１１６によって照射される光の光量を調整する光量調整手段１１５とを備えた構成を有する。【選択図】　図１
2004064508.tif 000002
【特許請求の範囲】
【請求項１】
被写体に照射される光を発光する発光手段と、前記被写体を撮像する撮像手段と、前記撮像手段によって得られる映像における予め決められた部分の明度を測定する明度測定手段と、映像の明度の基準値を記憶する基準値記憶手段と、前記明度測定手段によって測定された映像の明度と前記基準値との比較を行う比較手段と、前記比較手段による比較の結果に応じて前記発光手段によって照射される光の光量を調整する光量調整手段とを備えたことを特徴とする撮像装置。
【請求項２】
前記明度測定手段によって所定時間内に測定された映像の明度の最大値、最小値、および平均値の少なくとも１つを算出する算出手段を備え、前記比較手段は、前記算出手段によって算出された映像の明度の最大値、最小値、および平均値の少なくとも１つと前記基準値とを比較することを特徴とする請求項１記載の撮像装置。
【請求項３】
前記発光手段によって照射される光の光量調整に関する情報が入力される光量調整情報入力手段を備え、前記光量調整手段は、前記光量調整に関する情報に応じて前記発光手段によって照射される光の光量を調整することを特徴とする請求項１記載の撮像装置。
【請求項４】
前記明度測定手段によって測定された映像の明度を前記基準値として前記基準値記憶手段に記憶させる基準値設定手段を備えたことを特徴とする請求項３記載の撮像装置。
【発明の詳細な説明】
【０００１】
【発明の属する技術分野】
本発明は、カメラなどの撮像手段により撮像した映像をモニタなどの表示手段に表示させる撮像装置に関するものである。
【０００２】
【従来の技術】
従来、撮像装置としては、例えば、特開平１１−１０３４５９号公報に開示されたものが知られている。
図５に示す撮像装置５０１は、撮像手段であるＣＣＤカメラ５０２と、発光手段である照明ランプ５０３と、照明ランプ５０３が取り付けられたカメラユニット５０４と、ＣＣＤカメラ５０２に撮像を開始させ、照明ランプ５０３に光を照射させるための信号を出力する押釦５０５と、これらを収容したベース５０６と、ベース５０６に着脱自在に取り付けられた表面カバー５０７とを備える。
【０００３】
前述のように構成された撮像装置５０１において、被写体は、照明ランプ５０３で光を照射されることによって暗部でも撮像される。
【０００４】
【発明が解決しようとする課題】
しかしながら、このような従来の発光手段を有する撮像装置では、実際に被写体を確認する場合に、被写体の向きやカメラと被写体との間の距離等の位置関係によっては光量が適切ではなく、被写体の映像を明瞭に表示することができないという問題があった。
【０００５】
本発明は、このような問題を解決するためになされたもので、被写体と撮像装置との位置関係に関係なく、映像を明瞭に表示することができる撮像装置を提供するものである。
【０００６】
【課題を解決するための手段】
本発明の撮像装置は、被写体に照射される光を発光する発光手段と、前記被写体を撮像する撮像手段と、前記撮像手段によって得られる映像における予め決められた部分の明度を測定する明度測定手段と、映像の明度の基準値を記憶する基準値記憶手段と、前記明度測定手段によって測定された映像の明度と前記基準値との比較を行う比較手段と、前記比較手段による比較の結果に応じて前記発光手段によって照射される光の光量を調整する光量調整手段とを備えた構成を有している。この構成により、撮像手段が被写体を撮像する際に、被写体の映像の明度に応じて発光手段によって照射される光の光量が最適な量に調整されるため、映像を明瞭に表示することができる。
【０００７】
また、本発明の撮像装置は、被写体に照射される光を発光する発光手段と、前記被写体を撮像する撮像手段と、前記撮像手段によって得られる映像における予め決められた部分の明度を測定する明度測定手段と、映像の明度の基準値を記憶する基準値記憶手段と、前記明度測定手段によって測定された映像の明度と前記基準値との比較を行う比較手段と、前記比較手段による比較の結果に応じて前記発光手段によって照射される光の光量を調整する光量調整手段と、前記明度測定手段によって所定時間内に測定された映像の明度の最大値、最小値、および平均値の少なくとも１つを算出する算出手段を備え、前記比較手段は、前記算出手段によって算出された映像の明度の最大値、最小値、および平均値の少なくとも１つと基準値とを比較する構成を有している。この構成により、所定の時間間隔に区切って算出された映像の明度の最大値、最小値、および平均値の少なくとも１つと映像の明度の基準値との比較を行うことで、映像の明度が適当な量になるように発光手段によって照射される光の光量が調整されるため、撮像手段によって撮像される被写体の急な動作に応じて光の光量が頻繁に調整されることを抑えることができる。
【０００８】
また、本発明の撮像装置は、被写体に照射される光を発光する発光手段と、前記被写体を撮像する撮像手段と、前記撮像手段によって得られる映像における予め決められた部分の明度を測定する明度測定手段と、映像の明度の基準値を記憶する基準値記憶手段と、前記明度測定手段によって測定された映像の明度と前記基準値との比較を行う比較手段と、前記比較手段による比較の結果に応じて前記発光手段によって照射される光の光量を調整する光量調整手段とを備え、さらに、前記発光手段によって照射される光の光量調整に関する情報が入力される光量調整情報入力手段を備え、前記光量調整手段は、前記光量調整に関する情報に応じて前記発光手段によって照射される光の光量を調整する構成を有している。この構成により、撮像手段によって撮像された被写体を表示した映像で被写体を確認している人物が、映像の明度を確認しながら発光手段によって照射される光の光量を任意の量に手動で調整できるため、最適な明度に調整された映像を表示することができる。
【０００９】
また、本発明の撮像装置は、被写体に照射される光を発光する発光手段と、前記被写体を撮像する撮像手段と、前記撮像手段によって得られる映像における予め決められた部分の明度を測定する明度測定手段と、映像の明度の基準値を記憶する基準値記憶手段と、前記明度測定手段によって測定された映像の明度と前記基準値との比較を行う比較手段と、前記比較手段による比較の結果に応じて前記発光手段によって照射される光の光量を調整する光量調整手段と、前記発光手段によって照射される光の光量調整に関する情報が入力される光量調整情報入力手段と、前記明度測定手段によって測定された映像の明度を前記基準値として前記基準値記憶手段に記憶させる基準値設定手段とを備え、前記光量調整手段は、前記光量調整に関する情報に応じて前記発光手段によって照射される光の光量を調整する構成を有している。この構成により、発光手段によって照射される光の光量を最適な量に調整した場合において、明度測定手段によって測定された映像の明度を映像の明度の基準値に設定することができるため、比較手段が入力された映像の明度の値と比較する、映像の明度の基準値を最適な値に保つことができる。
【００１０】
【発明の実施の形態】
以下、本発明の実施の形態について、図面を用いて説明する。
（第１の実施の形態）
図１は、本発明の第１の実施の形態である撮像装置１００の概略のブロック構成を示す図である。
撮像装置１００は、被写体に光を照射して被写体を撮像する子機１０１、および子機１０１によって生成された画像情報に基づいた映像を表示する親機１０２によって構成される。
【００１１】
子機１０１は、被写体を撮像する撮像手段１１１、撮像手段１１１によって得られる映像の予め決められた部分の明度を測定する明度測定手段１１２、明度測定手段１１２によって測定された映像の明度と後述の基準値記憶手段１１４によって記憶された映像の明度の基準値とを比較する比較手段１１３、映像の明度の基準値を記憶する基準値記憶手段１１４、比較手段１１３によって得られた比較の結果に応じて後述の発光手段１１６に供給する電流の量を調整する光量調整手段１１５、被写体に照射する光を発光する発光手段１１６、呼出信号を生成する呼出手段１２１、親機１０２に入力された音声を拡声する音声拡声手段１２２、親機１０２に拡声させる音声を被写体に入力させる音声入力手段１２３、親機１０２との間で情報を送受信する子機通信手段１３１によって構成される。
【００１２】
親機１０２は、子機１０１との間で情報を送受信する親機通信手段１４１、撮像手段１１１によって撮像された映像を表示する表示手段１５１、子機１０１に入力された音声を拡声する音声拡声手段１５２、子機１０１に拡声させる音声を入力させる音声入力手段１５３によって構成される。
【００１３】
撮像手段１１１は、被写体を撮像して画像情報を生成し、生成された画像情報を明度測定手段１１２に出力するようになっている。また、撮像手段１１１は、生成された画像情報を子機通信手段１３１に出力するようになっている。
なお、撮像手段１１１は、例えばＣＣＤ（Ｃｈａｒｇｅ　Ｃｏｕｐｌｅｄ　Ｄｅｖｉｃｅ）カメラでも良いし、撮像して画像情報を生成することができる手段であれば如何なるものでもよい。
【００１４】
明度測定手段１１２は、撮像手段１１１によって出力された画像情報が入力され、入力された画像情報に基づいて得られる映像の明度を測定し、測定された映像の明度を比較手段１１３に出力するようになっている。
【００１５】
比較手段１１３は、明度測定手段１１２によって出力された映像の明度と基準値記憶手段１１４によって出力された映像の明度の基準値、すなわち明度基準値とが入力され、入力された映像の明度と明度基準値とを比較するようになっている。
さらに、比較手段１１３は、入力された映像の明度と明度基準値とを比較した結果、すなわち明度比較結果を光量調整手段１１５に出力するようになっている。
【００１６】
基準値記憶手段１１４は、明度基準値を予め記憶し、記憶された明度基準値を比較手段１１３に出力するようになっている。
【００１７】
光量調整手段１１５は、比較手段１１３によって出力された明度比較結果が入力され、入力された明度比較結果に応じて発光手段１１６に供給する電流の量を調整し、電流を供給するようになっている。
なお、発光手段１１６に供給する電流の量を調整することで、光量調整手段１１５は、発光手段１１６が照射する光の光量を調整するようになっている。
【００１８】
発光手段１１６は、撮像手段１１１によって撮像された被写体、すなわち訪問者に光を照射するようになっている。なお、発光手段１１６は、光量調整手段１１５によって供給された電流の量に応じて照射する光の光量を調整するようになっている。
ここで、発光手段１１６は、例えば赤外ＬＥＤや白色ＬＥＤであっても良いし、被写体に光を照射することができる手段であれば如何なるものでもよい。
【００１９】
呼出手段１２１は、押釦を備え、訪問者によって押釦を押下されることで呼出信号を生成し、生成された呼出信号を撮像手段１１１と、光量調整手段１１５と、音声拡声手段１２２と、音声入力手段１２３と、子機通信手段１３１とに出力するようになっている。
なお、呼出信号が入力されることによって、撮像手段１１１は、撮像を開始し、光量調整手段１１５は、発光手段１１６への電流の供給を開始し、表示手段１５１は、映像の表示を開始し、子機１０１の音声拡声手段１２２と親機１０２の音声拡声手段１５２とは、音声の拡声を開始し、子機１０１の音声入力手段１２３と親機１０２の音声入力手段１５３とは、音声の入力を開始するようになっている。
【００２０】
音声拡声手段１２２は、親機１０２によって送信された音声信号である親機音声信号が入力され、入力された音声信号に基づいた音声を拡声するようになっている。
【００２１】
音声入力手段１２３は、訪問者が発した音声が入力され、入力された音声を子機音声信号に変換するようになっている。さらに、音声入力手段１２３は、変換された子機音声信号を子機通信手段１３１に出力するようになっている。
【００２２】
子機通信手段１３１は、撮像手段１１１によって出力された画像情報と、音声入力手段１２３によって出力された子機音声信号と、呼出手段１２１によって出力された呼出信号とが入力され、子機通信手段１３１は、入力された画像情報と、子機音声信号と、呼出信号とを親機１０２に送信するようになっている。
さらに、子機通信手段１３１は、親機１０２によって送信された親機音声信号を受信し、受信された親機音声信号を音声拡声手段１２２に出力するようになっている。
【００２３】
親機通信手段１４１は、音声入力手段１５３によって出力された親機音声信号が入力され、入力された親機音声信号を子機１０１に送信するようになっている。
また、親機通信手段１４１は、子機１０１によって送信された画像情報と、子機音声信号と、呼出信号とを受信し、受信された画像情報を表示手段１５１に出力し、受信された子機音声信号を音声拡声手段１５２に出力し、受信された呼出信号を表示手段１５１と、音声拡声手段１５２と、音声入力手段１５３とに出力するようになっている。
【００２４】
表示手段１５１は、親機通信手段１４１によって出力された画像情報が入力され、入力された画像情報に基づいた映像を表示するようになっている。
【００２５】
音声拡声手段１５２は、親機通信手段１４１によって出力された子機音声信号が入力され、入力された音声信号に基づいた音声を拡声するようになっている。
【００２６】
音声入力手段１５３は、親機利用者が発した音声が入力され、入力された音声を親機音声信号に変換するようになっている。さらに、変換された親機音声信号を親機通信手段１４１に出力するようになっている。
【００２７】
以下、撮像装置１００の動作を説明する。
まず、発光手段１１６によって被写体に光が照射され、撮像手段１１１によって被写体が撮像され、画像情報が生成される。
【００２８】
次に、撮像手段１１１によって生成された画像情報に基づいて生成される映像における明度、すなわち映像の明度が明度測定手段１１２によって測定される。
【００２９】
次に、明度測定手段１１２によって測定された映像の明度と基準値記憶手段１１４に記憶された映像の明度の基準値とが比較手段１１３によって比較され、比較された結果、すなわち明度比較結果が生成される。
【００３０】
次に、発光手段１１６に供給される電流の量が、比較手段１１３によって生成された明度比較結果に基づいて光量調整手段１１５により調整される。
【００３１】
次に、光量調整手段１１５により発光手段１１６に供給される電流の量によって、被写体に照射される光の光量が調整される。
【００３２】
以上説明したように、本発明の第１の実施の形態の撮像装置は、撮像手段が被写体を撮像する際に、映像の明度に応じて発光手段によって照射される光の光量を適当な量に調整するため、映像を明瞭に表示することができる。
【００３３】
（第２の実施の形態）
図２は、本発明の第２の実施の形態である撮像装置２００の概略のブロック構成を示す図である。
撮像装置２００は、被写体に光を照射して被写体を撮像する子機２０１、および子機２０１によって生成された画像情報に基づいた映像を表示する親機１０２によって構成される。
【００３４】
子機２０１は、被写体を撮像する撮像手段１１１、撮像手段１１１によって得られる映像の予め決められた部分の明度を測定する明度測定手段２１２、明度測定手段２１２によって測定された映像の明度の所定時間内の最大値、最小値、および平均値の少なくとも１つを算出する算出手段２１１、算出手段２１１によって算出された最大値、最小値、および平均値の少なくとも１つと後述の基準値記憶手段２１４によって記憶された映像の明度の基準値とを比較する比較手段２１３、映像の明度の基準値を記憶する基準値記憶手段２１４、比較手段２１３によって得られた比較の結果に応じて後述の発光手段１１６に供給する電流の量を調整する光量調整手段１１５、被写体に照射する光を発光する発光手段１１６、呼出信号を生成する呼出手段１２１、親機１０２に入力された音声を拡声する音声拡声手段１２２、親機１０２に拡声させる音声を被写体に入力させる音声入力手段１２３、親機１０２との間で情報を送受信する子機通信手段１３１によって構成される。
【００３５】
親機１０２は、子機２０１との間で情報を送受信する親機通信手段１４１、撮像手段１１１によって撮像された映像を表示する表示手段１５１、子機２０１に入力された音声を拡声させる音声拡声手段１５２、子機２０１に拡声させる音声を入力させる音声入力手段１５３によって構成される。
【００３６】
なお、本発明の第２の実施の形態の撮像装置２００を構成する構成手段のうち、前記の本発明の第１の実施の形態の撮像装置１００における構成手段と同様の処理を行うものには同一の符号を付し、それぞれの説明を省略する。
【００３７】
算出手段２１１は、明度測定手段２１２によって測定された映像の明度が入力され、入力された映像の明度から所定の時間間隔に区切って最大値、最小値、および平均値の少なくとも１つを算出するようになっている。さらに、算出手段２１１は、算出された値を比較手段２１３に出力するようになっている。
【００３８】
明度測定手段２１２は、撮像手段１１１によって生成された画像情報が入力され、入力された画像情報に基づいて得られる映像の明度を測定し、測定された映像の明度を算出手段２１１に出力するようになっている。
【００３９】
比較手段２１３は、算出手段２１１によって算出された映像の明度の最大値、最小値、および平均値の少なくとも１つと、基準値記憶手段２１４によって記憶された映像の明度の基準値とが入力され、入力された映像の明度の最大値、最小値、および平均値の少なくとも１つと映像の明度の基準値とを比較した結果、すなわち明度比較結果を光量調整手段１１５へ出力するようになっている。
【００４０】
基準値記憶手段２１４は、映像の明度の基準値を予め記憶し、記憶された映像の明度の基準値を比較手段２１３に出力するようになっている。
【００４１】
以下、撮像装置２００の動作を説明する。
まず、発光手段１１６によって被写体に光が照射され、撮像手段１１１によって被写体が撮像され、画像情報が生成される。
【００４２】
次に、撮像手段１１１によって生成された画像情報に基づいて生成される映像における明度、すなわち映像の明度が明度測定手段２１２によって測定される。
【００４３】
次に、明度測定手段２１２によって測定された映像の明度の所定の時間間隔内における最大値、最小値、および平均値の少なくとも１つが算出手段２１１によって算出される。
【００４４】
次に、算出手段２１１によって算出された映像の明度の最大値、最小値、および平均値の少なくとも１つと基準値記憶手段２１４に記憶された映像の明度の基準値とが比較手段２１３によって比較され、比較された結果、すなわち明度比較結果が生成される。
【００４５】
次に、発光手段１１６に供給される電流の量は、比較手段２１３によって生成された明度比較結果に基づいて光量調整手段１１５により調整される。
【００４６】
次に、光量調整手段１１５により発光手段１１６に供給される電流の量によって、被写体に照射される光の光量が調整される。
【００４７】
以上説明したように、本発明の第２の実施の形態の撮像装置は、所定の時間間隔に区切って算出された映像の明度の最大値、最小値、および平均値の少なくとも１つと映像の明度の基準値との比較を行うことで、映像の明度が適当な量になるように発光手段によって照射される光の光量が調整されるため、撮像手段によって撮像される被写体の急な動作に応じて光の光量が頻繁に調整されることを抑えることができる。
【００４８】
（第３の実施の形態）
図３は、本発明の第３の実施の形態である撮像装置３００の概略のブロック構成を示す図である。
撮像装置３００は、被写体に光を照射して被写体を撮像する子機３０１、および子機３０１によって生成された画像情報に基づいた映像を表示する親機３０２によって構成される。
【００４９】
子機３０１は、被写体を撮像する撮像手段１１１、撮像手段１１１によって得られる映像の予め決められた部分の明度を測定する明度測定手段１１２、明度測定手段１１２によって測定された映像の明度と後述の基準値記憶手段１１４によって記憶された映像の明度の基準値とを比較する比較手段１１３、映像の明度の基準値を記憶する基準値記憶手段１１４、比較手段１１３によって得られた比較の結果に応じて後述の発光手段１１６に供給する電流の量を調整する光量調整手段３１５、被写体に照射する光を発光する発光手段１１６、呼出信号を生成する呼出手段１２１、親機３０２に入力された音声を拡声する音声拡声手段１２２、親機３０２に拡声させる音声を被写体に入力させる音声入力手段１２３、親機３０２との間で情報を送受信する子機通信手段３３１によって構成される。
【００５０】
親機３０２は、子機３０１との間で情報を送受信する親機通信手段３４１、撮像手段１１１によって撮像された映像を表示する表示手段１５１、子機３０１に入力された音声を拡声する音声拡声手段１５２、子機３０１に拡声させる音声を入力させる音声入力手段１５３、発光手段１１６によって照射される光の光量調整に関する情報が外部から入力される光量調整情報入力手段３６１によって構成される。
【００５１】
なお、本発明の第３の実施の形態の撮像装置３００を構成する構成手段のうち、前記の本発明の第１の実施の形態の撮像装置１００と同様の処理を行うものには同一の符号を付し、それぞれの説明を省略する。
【００５２】
光量調整情報入力手段３６１は、発光手段１１６によって照射される光の光量調整に関する情報が外部から入力され、入力された光の光量調整に関する情報を親機通信手段３４１に出力するようになっている。
【００５３】
親機通信手段３４１は、音声入力手段１５３によって出力された親機音声信号と、光量調整情報入力手段３６１によって出力された光の光量調整に関する情報とが入力され、入力された親機音声信号と、光の光量調整に関する情報とを子機３０１に送信するようになっている。
また、親機通信手段３４１は、子機３０１によって送信された画像情報と、子機音声信号と、呼出信号とを受信し、受信された画像情報を表示手段１５１に出力し、受信された子機音声信号を音声拡声手段１５２に出力し、受信された呼出信号を表示手段１５１と、音声拡声手段１５２と、音声入力手段１５３とに出力するようになっている。
【００５４】
子機通信手段３３１は、撮像手段１１１によって出力された画像情報と、音声入力手段１２３によって出力された子機音声信号と、呼出手段１２１によって出力された呼出信号とが入力され、入力された画像情報と、子機音声信号と、呼出信号とを親機３０２に送信するようになっている。
さらに、子機通信手段３３１は、親機３０２によって送信された親機音声信号と、光の光量調整に関する情報とを受信し、受信された親機音声信号を音声拡声手段１２２に出力し、受信された光の光量調整に関する情報を光量調整手段３１５に出力するようになっている。
【００５５】
光量調整手段３１５は、子機通信手段３３１によって出力された光の光量調整に関する情報が入力され、入力された光の光量調整に関する情報に基づいて発光手段１１６に供給する電流の量を調整し、電流を供給するようになっている。
なお、呼出信号が入力されることで、光量調整手段３１５は、発光手段１１６に電流の供給を開始するようになっている。また、光の光量調整に関する情報を入力された場合には、光量調整手段３１５は、前記の光の光量調整に関する情報に基づいて供給する電流の量の調整と供給を行うようになっている。
また、光の光量調整に関する情報が入力される前、および呼出信号が入力された場合には、光量調整手段３１５には、比較手段１１３によって比較された結果、すなわち明度比較結果が入力され、光量調整手段３１５は、入力された明度比較結果に基づいて発光手段１１６に供給する電流の量を調整し、発光手段１１６に電流を供給するようになっている。
【００５６】
以下、撮像装置３００の動作を説明する。
撮像装置３００は、本発明の第１の実施の形態の撮像装置１００と同様に動作するが、光量調整情報入力手段３６１に光の光量調整に関する情報が外部から入力されることによって、以下の動作を行う。
【００５７】
まず、発光手段１１６によって照射される光の光量調整に関する情報が外部から光量調整情報入力手段３６１に入力される。
【００５８】
次に、光量調整情報入力手段３６１に入力された光の光量調整に関する情報が子機３０１によって受信される。
【００５９】
次に、発光手段１１６に供給される電流の量が、受信された光の光量調整に関する情報に基づいて光量調整手段３１５によって調整される。
【００６０】
次に、光量調整手段３１５によって発光手段１１６に供給される電流の量によって、発光手段１１６によって被写体に照射される光の光量が調整される。
【００６１】
以上説明したように、本発明の第３の実施の形態の撮像装置は、撮像手段によって撮像された被写体を表示した映像で被写体を確認している人物が、映像の明度を確認しながら発光手段によって照射される光の光量を任意の量に手動で調整できるため、最適な明度に調整された映像を表示することができる。
【００６２】
（第４の実施の形態）
図４は、本発明の第４の実施の形態である撮像装置４００の概略のブロック構成を示す図である。
撮像装置４００は、被写体に光を照射して被写体を撮像する子機４０１および、子機４０１によって生成された画像情報に基づいた映像を表示する親機４０２によって構成される。
【００６３】
子機４０１は、被写体を撮像する撮像手段１１１、撮像手段１１１によって得られる映像の予め決められた部分の明度を測定する明度測定手段４１２、明度測定手段４１２によって測定された映像の明度と後述の基準値記憶手段４１４によって記憶された映像の明度の基準値とを比較する比較手段４１３、明度測定手段４１２によって出力された映像の明度が入力され、入力された映像の明度を映像の明度の基準値に設定し、設定された映像の明度の基準値を後述の基準値記憶手段４１４に出力する基準値設定手段４１７、基準値設定手段４１７によって出力された映像の明度の基準値が入力され、入力された映像の明度の基準値を記憶し、記憶された映像の明度の基準値を比較手段４１３に出力する基準値記憶手段４１４、比較手段４１３の比較の結果に応じて後述の発光手段１１６に供給する電流の量を調整する光量調整手段４１５、被写体に照射する光を発光する発光手段１１６、呼出信号を生成する呼出手段１２１、親機４０２に入力された音声を子機４０１から拡声させる音声拡声手段１２２、親機４０２から拡声させる音声を被写体に入力させる音声入力手段１２３、親機４０２との間の情報を送受信する子機通信手段４３１によって構成される。
【００６４】
親機４０２は、子機４０１との間の情報を送受信する親機通信手段４４１、撮像手段１１１によって撮像された映像を表示する表示手段１５１、子機４０１に入力された音声を親機４０２から拡声する音声拡声手段１５２、子機４０１から拡声させる音声を入力させる音声入力手段１５３、発光手段１１６によって照射される光の光量調整に関する情報を外部から調整させ、基準値決定信号を生成し、生成された基準値決定信号を親機通信手段４４１に出力する光量調整情報入力手段４６１によって構成される。
【００６５】
なお、本発明の第４の実施の形態の撮像装置４００を構成する構成手段のうち、上記本発明の第１の実施の形態の撮像装置と同様の処理を行うものには同一の符号を付し、それぞれの説明を省略する。
【００６６】
光量調整情報入力手段４６１は、発光手段１１６によって照射される光の光量調整に関する情報が外部から入力され、入力された光の光量調整に関する情報を親機通信手段４４１に出力するようになっている。
また、光量調整情報入力手段４６１は、押釦を備え、押釦を押下されることで基準値決定信号を生成し、生成された基準値決定信号を親機通信手段４４１に出力するようになっている。
なお、基準値決定信号は、光量調整手段４１５と基準値設定手段４１７に入力される。基準値決定信号が入力されることで、光量調整手段４１５は、子機通信手段４３１によって出力された光の光量調整に関する情報が入力されることを停止し、比較手段４１３によって比較された結果が入力される動作を行うようになっている。基準値決定信号が入力されることで、基準値設定手段４１７は、基準値記憶手段４１４に映像の明度の基準値を記憶させるようになっている。
【００６７】
親機通信手段４４１は、音声入力手段１５３によって出力された親機音声信号と、光量調整情報入力手段４６１によって出力された光の光量調整に関する情報と、光量調整情報入力手段４６１によって出力された基準値決定信号とが入力され、入力された親機音声信号と、光の光量調整に関する情報と、基準値決定信号とを子機４０１に送信するようになっている。
また、親機通信手段４４１は、子機４０１によって送信された画像情報と、子機音声信号と、呼出信号とを受信し、受信された画像情報を表示手段１５１に出力し、受信された子機音声信号を音声拡声手段１５２に出力し、受信された呼出信号を表示手段１５１と、音声拡声手段１５２と、音声入力手段１５３とに出力するようになっている。
【００６８】
子機通信手段４３１は、撮像手段１１１によって出力された画像情報と、音声入力手段１２３によって出力された子機音声信号と、呼出手段１２１によって出力された呼出信号とが入力され、入力された画像情報と、子機音声信号と、呼出信号とを親機４０２に送信するようになっている。
さらに、子機通信手段４３１は、親機４０２によって送信された親機音声信号と、光の光量調整に関する情報と、基準値決定信号とを受信し、受信された親機音声信号を音声拡声手段１２２に出力し、受信された光の光量調整に関する情報を光量調整手段４１５に出力し、受信された基準値決定信号を光量調整手段４１５と基準値設定手段４１７とに出力するようになっている。
【００６９】
光量調整手段４１５は、子機通信手段４３１によって出力された光の光量調整に関する情報が入力され、入力された光の光量調整に関する情報に基づいて発光手段１１６に供給する電流の量を調整し、電流を供給するようになっている。
なお、呼出信号が入力されることで、光量調整手段４１５は、発光手段１１６に電流の供給を開始するようになっている。また、光の光量調整に関する情報が入力された場合には、光量調整手段４１５は、前記の光の光量調整に関する情報に基づいて供給する電流の量の調整と供給を行うようになっている。
また、光の光量調整に関する情報が入力される前、および呼出信号が入力された場合には、光量調整手段４１５は、比較手段４１３によって比較された結果、すなわち明度比較結果が入力され、入力された明度比較結果に基づいて発光手段１１６に供給する電流の量を調整し、発光手段１１６に電流を供給するようになっている。
また、基準値決定信号が入力された場合には、光の光量調整に関する情報が入力されない限り、光量調整手段４１５は、前記の明度比較結果に基づいて供給する電流の量の調整と供給を行うようになっている。
【００７０】
明度測定手段４１２は、撮像手段１１１によって生成された画像情報が入力され、入力された画像情報に基づいて得られる映像の明度を測定し、測定された映像の明度を比較手段４１３と基準値設定手段４１７とに出力するようになっている。
【００７１】
比較手段４１３は、明度測定手段４１２によって出力された映像の明度と基準値記憶手段４１４によって出力された映像の明度の基準値、すなわち明度基準値とが入力され、入力された映像の明度と明度基準値とを比較するようになっている。
さらに、比較手段４１３は、入力された映像の明度と明度基準値とを比較した結果、すなわち明度比較結果を光量調整手段４１５に出力するようになっている。
【００７２】
基準値設定手段４１７は、明度測定手段４１２から出力された映像の明度が入力され、入力された映像の明度を明度基準値に設定し、設定された明度基準値を基準値記憶手段４１４に出力するようになっている。
【００７３】
基準値記憶手段４１４は、基準値設定手段４１７によって出力された明度基準値が入力され、入力された明度基準値を記憶するようになっている。さらに、基準値記憶手段４１４は、記憶された明度基準値を比較手段４１３に出力するようになっている。
【００７４】
以下、撮像装置４００の動作を説明する。
撮像装置４００は、本発明の第１の実施の形態の撮像装置１００と同様に動作するが、光の光量調整に関する情報が外部から光量調整情報入力手段４６１によって入力され、基準値決定信号が光量調整情報入力手段４６１によって生成されることで、以下の動作を行う。
【００７５】
まず、発光手段１１６によって照射される光の光量調整に関する情報が外部から光量調整情報入力手段４６１に入力される。
【００７６】
次に、光量調整情報入力手段４６１に入力された光の光量調整に関する情報が子機４０１によって受信される。
【００７７】
次に、発光手段１１６に供給される電流の量が、受信された光の光量調整に関する情報に基づいて光量調整手段４１５によって調整される。
【００７８】
次に、光量調整手段４１５により発光手段１１６に供給される電流の量によって、被写体に照射される光の光量が調整される。
【００７９】
次に、発光手段１１６によって被写体に光が照射され、撮像手段１１１によって被写体が撮像され、画像情報が生成される。
【００８０】
次に、撮像手段１１１によって生成された画像情報に基づいて生成される映像における明度、すなわち映像の明度が明度測定手段４１２によって測定される。
【００８１】
次に、明度測定手段４１２によって測定された映像の明度が基準値設定手段４１７によって映像の明度の基準値に設定される。
【００８２】
次に、光量調整情報入力手段４６１に基準値決定信号が入力されることで、基準値設定手段４１７によって映像の明度の基準値に設定された映像の明度が基準値記憶手段４１４によって記憶される。
【００８３】
以上説明したように、本発明の第４の実施の形態の撮像装置は、発光手段によって照射される光の光量を光量調整情報入力手段によって最適な量に調整した場合において、明度測定手段によって測定された映像の明度を映像の明度の基準値に設定することができるため、比較手段が入力された映像の明度の値と比較する、映像の明度の基準値を最適な値に保つことができる。
【００８４】
【発明の効果】
以上説明したように、本発明は、映像を明瞭に表示することができる撮像装置を提供することができるものである。
【図面の簡単な説明】
【図１】本発明の第１の実施例における撮像装置図
【図２】本発明の第２の実施例における撮像装置図
【図３】本発明の第３の実施例における撮像装置図
【図４】本発明の第４の実施例における撮像装置図
【図５】従来の撮像装置を示す図
【符号の説明】
１００、２００、３００、４００　撮像装置
１０１、２０１、３０１、４０１　子機
１０２、３０２、４０２　親機
１１１　撮像手段
１１２、２１２、４１２　明度測定手段
１１３、２１３、４１３　比較手段
１１４、２１４、４１４　基準値記憶手段
１１５、３１５、４１５　光量調整手段
１１６　発光手段
１２１　呼出手段
１２２、１５２　音声拡声手段
１２３、１５３　音声入力手段
１３１、３３１、４３１　子機通信手段
１４１、３４１、４４１　親機通信手段
１５１　表示手段
２１１　算出手段
３６１、４６１　光量調整情報入力手段
４１７　基準値設定手段
５０１　撮像装置
５０２　ＣＣＤカメラ
５０３　照明ランプ
５０４　カメラユニット
５０５　押釦
５０６　ベース
５０７　表面カバー
【図１】
2004064508.tif 000003
【図２】
2004064508.tif 000004
【図３】
2004064508.tif 000005
【図４】
2004064508.tif 000006
【図５】
2004064508.tif 000007